(57)【要約】【課題】  携帯電話で通話中に、周囲の人々に自分が通話中であることをさりげなく知らせることができる携帯電話装置を提供する。【解決手段】  本体筐体１の操作面側に対して背面側で、手で持ったときに手で覆われない位置に通話中に点滅する通話状態表示部７を設ける。通話状態に入ったことを検出すると、制御手段10が通話状態表示部７を一定時間間隔で、緩やかに輝度を上げて点滅させ、緩やかに輝度を下げて点滅させ、あたかも蛍のような点滅動作をさせる。輝度も、近くに居る人が識別できる程度に低くしておくことにより、電池の消費電力を低く抑えて、携帯電話の通話時間に支障が及ぼさないようにしている。【選択図】      図１
2007243998.tif 000002
【特許請求の範囲】
【請求項１】
携帯電話装置の本体筐体に、通話中に点滅する通話状態表示手段を設け、通話状態に入ると、制御手段が前記通話状態表示手段を一定時間間隔で点滅させるようにしたことを特徴とする携帯電話装置。
【請求項２】
携帯電話装置の本体筐体の背面でかつ持ったときに手で覆われない位置に、通話中に点滅する通話状態表示手段を設け、通話状態に入ると、制御手段が前記通話状態表示手段を一定時間間隔で点滅させるようにしたことを特徴とする携帯電話装置。
【請求項３】
携帯電話装置の本体筐体に通話内容をメモ録音する機能を開始させるメモ録音スイッチを設け、前記メモ録音スイッチはメモ録音が始まると点滅する発光手段付きスイッチとしたことを特徴とする携帯電話装置。
【請求項４】
通話中に第一の色で点滅する通話状態表示手段と、メモ録音が始まると第二の色で点滅するメモ録音スイッチを一つの発光手段付きスイッチで兼用したことを携帯電話装置。
【請求項５】
通話状態に入ると、前記通話状態表示手段を、近くに居る人が識別できる程度の輝度で、一定時間間隔で緩やかかに輝度を上げて点滅させ、あるいは緩やかに輝度を下げて点滅させることにより、あたかも蛍のような点滅動作をさせるようにしたことを特徴とする請求項１、請求項２又は請求項４に記載の携帯電話装置。
【発明の詳細な説明】
【技術分野】
【０００１】
本発明は、携帯電話装置に関し、特に通話状態表示手段を備えて通話中であることを表示できるようにしたものである。
【背景技術】
【０００２】
従来の携帯電話装置では、通話時に自分が通話中であるということをさりげなく周囲の人々に知らせる手段は装備しておらず、どうしても自分が通話中であることをさりげなく周囲の人々に知らせたい人は、予め携帯電話装置に装備されているアンテナを外して先端が点滅するアンテナと交換するようにしていた。
【０００３】
不特定多数の人々が集まる所、例えば電車の中で携帯電話を使うことはマナー違反と言われていた。しかし、同好会のようなサークルでは、必要により携帯電話をかけることは認められており、おしゃべりをしていた周囲の人々は、電話を始めた人のために静かにするというマナーも存在している。このような場合には、自分が電話中であることを周囲の人々に何らかの方法で提示して気付いてもらい、静かにしてもらえれば好都合である。
【０００４】
また、夜、帰宅途中にバイブレータによる無音着信があったときに突然通話を始めると、周囲の人々から好奇な目で見られることがある。特に携帯電話装置が小型になって手のひらや髪の毛の中に隠れてしまうような状況下では、不審者と思われないために、自分が携帯電話装置で通話していることを周囲の人々に示したいと思うこともある。
【０００５】
上記のような状況下では、通話中であることをさりげなく周囲の人々に知らせるという手段が望まれている。かといって、従来のアンテナを個人的に交換してアンテナの先端を光らせるという方法は一つの解決方法ではあるが、費用の点でも、作業の点でも、アンテナ感度の点でも、また市販されている多くのものが高輝度かつ高速で点滅するタイプであるという点でも利用者によって好まれていないというケースもあった。
【０００６】
また、上記のような外部から確認できるようにしたい通話中の動作としては、通話内容をメモ録音するメモ録音の動作があるが、メモ録音ボタンを押しても正常に動作していることを外部から確認できないと不安である。携帯電話装置では、これらの通話中の動作状態を外部から確認する新しい手段が求められている。
【発明の開示】
【発明が解決しようとする課題】
【０００７】
本発明は、アンテナを個人的に交換してアンテナの先端を光らせるという方法以外の手段で、通話中に周囲の人々に自分が通話中であることをさりげなく知らせることができる手段を備えた携帯電話装置を提供することを第一の目的としている。
【０００８】
また、通話中に通話内容をメモ録音する機能をもった携帯電話装置において、メモ録音機能が作動していることを視覚的に確認する手段を備えた携帯電話装置を提供することを第二の目的としている。
【課題を解決するための手段】
【０００９】
本発明の請求項１に記載の発明は、携帯電話装置の本体筐体に、通話中に点滅する通話状態表示手段を設け、通話状態に入ると、制御手段が前記通話状態表示手段を一定時間間隔で点滅させるようにしたものである。また請求項２に記載の発明は、携帯電話装置の本体筐体の背面でかつ持ったときに手で覆われない位置に、通話中に点滅する通話状態表示手段を設け、通話状態に入ると、制御手段が前記通話状態表示手段を一定時間間隔で点滅させるようにしたものである。
【００１０】
これらの構成により、通話中に周囲の人々に自分が通話中であることをさりげなく知らせることができる。
【００１１】
本発明の請求項３に記載の発明は、携帯電話装置の本体筐体に通話内容をメモ録音する機能を開始させるメモ録音スイッチを設け、前記メモ録音スイッチはメモ録音が始まると点滅する発光手段付きスイッチとしたものである。
【００１２】
この構成により、メモ録音が始まると点滅する発光手段により外部からメモ録音動作中であることが確認できる。
【００１３】
本発明の請求項４に記載の発明は、通話中に第一の色で点滅する通話状態表示手段と、メモ録音が始まると第二の色で点滅するメモ録音スイッチを一つの発光手段付きスイッチで兼用したものである。
【００１４】
この構成により、一つの発光手段付きスイッチを本体筐体の背面に設けただけで、通話中は第一の色で点滅し、メモ録音中は第二の色で点滅させることができる。
【００１５】
本発明の請求項５に記載の発明は、通話状態に入ると、前記通話状態表示手段を、近くに居る人が識別できる程度の輝度で、一定時間間隔で緩やかに輝度を上げて点滅させ、あるいは緩やかに輝度を下げて点滅させることにより、あたかも蛍のような点滅動作をさせるようにしたものである。
【００１６】
この構成により、従来の先端が光るアンテナのような高輝度で、高速で切り替わる点滅の態様と異なり、近くの人だけが確認できる程度の明るさでゆっくりと明暗を繰り返すという、見る者に落ち着きを感じさせる点滅の態様でもって、周囲の人々に自分が通話中であることをさりげなく知らせることができる。
【発明の効果】
【００１７】
本発明の請求項１に記載の発明は、携帯電話装置の本体筐体に、通話中に点滅する通話状態表示手段を設け、通話状態に入ると、制御手段が前記通話状態表示手段を一定時間間隔で点滅させるようにしたものであり、これにより、通話中に周囲の人々に自分が通話中であることをさりげなく知らせることができるという効果がある。
【００１８】
また、請求項２に記載の発明は、携帯電話装置の本体筐体の背面でかつ持ったときに手で覆われない位置に、通話中に点滅する通話状態表示手段を設け、通話状態に入ると、制御手段が前記通話状態表示手段を一定時間間隔で点滅させるようにしたものであり、これにより、通話中に周囲の人々に自分が通話中であることをさりげなく知らせることができるという効果がある。
【００１９】
また、請求項３に記載の発明は、携帯電話装置の本体筐体に通話内容をメモ録音する機能を開始させるメモ録音スイッチを設け、前記メモ録音スイッチはメモ録音が始まると点滅する発光手段付きスイッチとしたものであり、これにより、メモ録音が始まると点滅する発光手段により外部からメモ録音動作中であることが確認できるという効果がある。
【００２０】
また、請求項４に記載の発明は、通話中に第一の色で点滅する通話状態表示手段と、メモ録音が始まると第二の色で点滅するメモ録音スイッチを一つの発光手段付きスイッチで兼用したものであり、これにより、一つの発光手段付きスイッチを本体筐体の背面に設けただけで、通話中は第一の色で点滅し、メモ録音中は第二の色で点滅させることができるという効果がある。
【００２１】
本発明の請求項５に記載の発明は、通話状態に入ると、前記通話状態表示手段を、近くに居る人が識別できる程度の輝度で、一定時間間隔で緩やかに輝度を上げて点滅させ、あるいは緩やかに輝度を下げて点滅させることにより、あたかも蛍のような点滅動作をさせるようにしたものであり、これにより、従来の先端が光るアンテナのような高輝度で、高速で切り替わる点滅の態様と異なり、近くの人だけが確認できる程度の明るさでゆっくりと明暗を繰り返すという、見る者に落ち着きを感じさせる点滅の態様でもって、周囲の人々に自分が通話中であることをさりげなく知らせることができるという効果がある。
【発明を実施するための最良の形態】
【００２２】
以下、本発明の実施の形態について、図１から図６を用いて説明する。
【００２３】
図１（ａ）は、本発明の実施の形態に係る携帯電話装置の操作面を上にして示した外観斜視図であり、本体筐体１には、受話器２、送話器３、キー操作部４と表示部５が配置されている。特にキー操作部４には通話中に押すことにより通話内容の録音を開始するメモ録音スイッチとしてのメモ録音ボタン６が設けられている。
【００２４】
図１（ｂ）は、本発明の実施の形態に係る携帯電話装置の背面を上にして示した概観斜視図であり、通話状態に入ったときに点滅する通話状態表示部７が設けられている。
【００２５】
図２は、本発明の実施の形態に係る携帯電話装置の機能ブロック図である。図２において、アンテナ８で受信した電波は無線通信部９の受信部（図示せず）で受けて、受信情報を制御部10に伝える。制御部10は受信した電話番号などの受信情報を液晶表示装置などの表示部11に表示する。また制御部10は受信情報を音声情報に変換して受話部のスピーカ13で音声出力する。また送話部（マイク）14は利用者の音声を受けて制御部10に伝え、無線通信部９の送信部（図示せず）とアンテナ８により通話相手先に無線送信する。制御部10はメモリ16に通話中の通話内容などの音声情報を記憶させ、あるいは記憶してある情報を読み出すようにしている。テンキー等のキー操作部12はキー操作によって制御部10に信号を入力したり、制御部10を介して電子電話帳などの個人情報をメモリ16に記憶させるようにしている。また、表示部11とは別に設けた通話状態表示器15は、無線通信部９により無線通信が始まると、制御部10の制御により一定時間間隔で点滅するようにしてあり、通話状態表示器15を図１（ｂ）のように本体筐体１の背面で手で持ったときに手で覆われない位置に設けておくことで、携帯電話で通話中に、周囲の人々に通話中であることを知らせることができるようにしている。
【００２６】
なお、通話状態に入ると、制御部10は通話状態表示器15について一定間隔で、緩やかに輝度を上げ下げし点滅するようにしている。緩やかに輝度を上げ下げし点滅させるために、制御部10からの矩形波（図３の制御信号）をＲＣフィルタによって、緩やかな制御信号（図３のＲＣ通過後）に変換している。なお図３においては、R1=100kΩ、R2=120Ω、C1=10μFとした場合の波形である。
【００２７】
緩やかに輝度を上げつつ点滅し、緩やかに輝度を下げつつ点滅するようにした点滅の態様は、見る人にあたかも蛍が光っているように、柔かで落ち着いた印象を与えるようにしている。なお、輝度については予め近くに居る人が識別できる程度に比較的低く設定しておくことにより、電池の消費電力を低く抑えて、携帯電話の通話時間に支障を及ぼさないようにしている。このように本発明では、携帯電話で通話中に、周囲の人々に自分が通話中であることをさりげなく知らせることができるようにしている。
【００２８】
なお、この通話中であるという状態を表示する機能は、通話中に相手が黙って何の音も聞こえないときに、相手が電話を切ったのかそれともまだ通話中なのかを通話者が通話状態表示部７を見ることによって、視覚的に確認できるという作用もある。
【００２９】
図４は、メモ録音ボタン６の構造を示した断面図である。図４（ａ）の断面図では、プリント基板18に間隔をあけた２つの接点パターン19を印刷し、前記２つの接点パターン19の中央にＬＥＤ20を配置し、二股に分かれた導電膜21のある先端部分で前記接点のパターン19を押すキーボタン22が示されている。キーボタン22が上から押されると、スカート部23との接続部分が変形して下に下がり、導電膜21がプリント基板18の接点のパターン19に当接する。すると、図示しない点滅回路によりＬＥＤ20の点滅が点滅し、キーボタン22が照明される。
【００３０】
図４（ｂ）は、プリント基板18の接点のパターン19とＬＥＤ20とこれらを囲みＬＥＤ20の光を反射させるリブ24の配置を平面図で示したものである。図４（ｃ）は、図４（ｂ）のＡ矢印方向から見た断面図で、キーボタン22を押した後にキーボタン22がスカート部23の力で上昇しケース25に当接する位置まで戻り、一旦点滅を開始したＬＥＤ20が引き続きキーボタン22を照明している状況を示している。
【００３１】
キーボタン22を押すことにより、制御部10がメモ録音動作を開始させ、メモリ16に通話内容を記録すると同時に、ＬＥＤ20を点滅させるようにしている。これにより、通話者が通話中にメモ録音動作をＬＥＤ20の点滅で確認することができる。点滅の態様については図３のようにしている。
【００３２】
図５は、本発明の第２の実施の形態における構成ブロック図を示すもので、第１の実施の形態で説明した通話状態表示部７とメモ録音ボタン６を一つの点滅する発光手段付きスイッチ26で兼用した構成にしている。具体的な配置としては、図１（ｂ）に示した第１の実施の形態の本体筐体の背面側の通話状態表示部７の位置にメモ録音ボタン６を兼ねる発光手段付きスイッチ26を配置したものである。
【００３３】
図６に通話中の通話状態表示の動作と、途中からメモ録音を行なうときの動作をフローチャートで示す。まず、電源がオンすると携帯電話装置は受信待受け状態となる（ステップ１）。着信があると着信鳴動し（ステップ２）、利用者が通話ボタンを押すと（ステップ３）、無線通話が始まる（ステップ４）。
【００３４】
制御部10は、無線通話開始すると通話状態表示器15を第一の発光色、例えば青色で点滅させる（ステップ５）。そのまま通話が終了すれば再び受信待受け状態に戻る（ステップ６）。通話中にメモ録音スイッチであるメモ録音ボタン６を押すと（ステップ７）、メモ録音ボタン６のＬＥＤ20が第二の発光色、たとえば赤色で点滅する（ステップ８）。その後一定時間経過によりメモ録音が終了するか、再びメモ録音ボタン６がメモ録音終了という意味合いで押されてメモ録音が終了すると（ステップ９）、ＬＥＤ20は通話状態表示器15として第一の発光色の青色で点滅する（ステップ10）。その後、通話が終了すれば受信待受け状態に戻る（ステップ11）。
【００３５】
以上のような動作を行なうことにより、本体筐体の背面に設けた通話状態表示器15の点滅状態で、携帯電話で通話中に、周囲の人々に自分が通話中であることをさりげなく知らせることができるようにしたり、前記通話状態表示器をメモ録音スイッチと兼用することにより、前記通話状態表示器を通話中のメモ録音動作を表示する手段として用いて、利用者が通話中のメモ録音動作を確認できるようにしている。
【００３６】
以上、本発明の第１の実施の形態で示したように、携帯電話の通話中に通話状態表示部が例えば青色に点滅することにより、周囲の人々に自分が通話中であることをさりげなく知らせることができる。また、本発明の第２の実施の形態で示したように、通話中に通話ボタンを押したときには、赤色で点滅することにより、通話メモの動作中になったことが分かるという効果がある。特に通話中は電話の操作面は顔に密着しているので、液晶表示部を見ることができないとしても、利用者は、通話中は例えば青色で点滅し、メモ録音動作中は赤色で点滅することを知っているので、必要により鏡や街角のショーウィンドウのガラス等に電話している自分の姿を映して、点滅状態を見て通話中か、通話メモの動作中であるかが確認できる。利用者が通話中には間接的にしか見れないという不便さあるが、従来は通話中に全く確認することができなかったことからすれば、これまでにない新しい効果が得られる。
【００３７】
なお、図１（ｂ）の通話状態表示部７の横に示したように、よく工事現場で見かける「騒音でご迷惑をかけて済みません」という文字とともに頭を下げている人の絵と同様の絵を描いておけば、電車内でやむを得ず通話したときであっても、通話状態表示部７を点滅させることによって周囲の人に、申し訳ないという気持ちを示すことができて、通話する際の通話者の心理的負担を軽減することができるという使用上の効果もある。
【図面の簡単な説明】
【００３８】
【図１】（ａ）本発明の実施の形態に係る携帯電話装置の操作面を上にした外観斜視図、（ｂ）本発明の実施の形態に係る携帯電話装置の背面を上にした外観斜視図、
【図２】本発明の第１の実施の形態に係る携帯電話装置の機能ブロックを示す図、
【図３】（ａ）本発明の実施の形態に係る携帯電話装置の点滅動作を説明するための回路図、（ｂ）本発明の実施の形態に係る携帯電話装置の点滅動作を説明するための波形図、
【図４】本発明の実施の形態のメモ録音ボタン付近の構成を示す断面図、
【図５】本発明の第２の実施の形態に係る携帯電話装置の機能ブロックを示す図、
【図６】本発明の第２の実施の形態に係る携帯電話装置において通話中の動作を説明するためのフローチャートである。
【符号の説明】
【００３９】
１  本体筐体
２  受話部
３  送話部
４  キー操作部
５  表示部
６  メモ録音ボタン
７  通話状態表示部
８  アンテナ
９  無線通話部
10  制御部
11  表示部
12  キー操作部
13  スピーカ
14  送話部
15  通話状態表示器
16  メモリ
17  メモ録音スイッチ
18  プリント基板
19  接点のパターン
20  ＬＥＤ
21  導電膜
22  キーボタン
23  スカート部
24  リブ
25  ケース
26  発光手段付きスイッチ
【図１】
2007243998.tif 000003
【図２】
2007243998.tif 000004
【図３】
2007243998.tif 000005
【図４】
2007243998.tif 000006
【図５】
2007243998.tif 000007
【図６】
2007243998.tif 000008